(57)【特許請求の範囲】
【請求項１】
周波数の異なる複数のセルを該セルの一部または全部の領域が互いに重なるように形成する１以上の基地局と、前記周波数の異なる複数のセルを確認することが可能な端末と、を備え、
前記基地局は、前記周波数の異なる複数のセルの周波数に対する優先度の比率を決定し、該優先度の比率を、自局が形成するセルをサービングセルに設定している端末へ送信し、
前記端末は、サービングセルに設定しているセルを形成する基地局から前記優先度の比率を受信し、該優先度の比率に基づいて前記複数のセルの中から次にサービングセルに設定するセルを選択する
ことを特徴とする無線通信システム。
【請求項２】
前記基地局は、前記周波数の異なる複数のセルの負荷に応じて、相対的に負荷の高いセルの周波数に対する前記優先度の比率を現在の値よりも下げるか、相対的に負荷の低いセルの周波数に対する前記優先度の比率を現在の値よりも上げるか、またはその両方を行うことを特徴とする請求項１に記載の無線通信システム。
【請求項３】
前記基地局は、端末が前記優先度の比率に基づいて次にサービングセルに設定するセルを選択するか否かを判断する際の基準となる受信電力の条件を設定し、該受信電力の条件を、自局が形成するセルをサービングセルに設定している端末へ送信することを特徴とする請求項１に記載の無線通信システム。
【請求項４】
前記端末は、サービングセルに設定しているセルを形成する基地局から、次にサービングセルに設定するセルを選択するか否かを判断する際の基準となる受信電力の条件を受信し、サービングセルに設定しているセル以外の周辺のセルの受信電力を測定し、該受信電力の測定値が前記受信電力の条件を満たすときに任意の値を生成し、確認することのできるセルの周波数に対する前記優先度の比率と前記サービングセルに設定しているセルの周波数に対する前記優先度の比率から各々の割合を求め、該割合と前記任意の値との比較結果に基づいて、前記複数のセルの中から次にサービングセルに設定するセルを選択することを特徴とする請求項１に記載の無線通信システム。
【請求項５】
周波数の異なる複数のセルの周波数に対する優先度の比率を決定する決定部と、
前記優先度の比率を、自局が形成するセルをサービングセルに設定している端末へ送信する送信部と、
を備えることを特徴とする基地局。
【請求項６】
サービングセルに設定しているセルを形成する基地局から、周波数の異なる複数のセルの周波数に対する優先度の比率を受信する受信部と、
前記優先度の比率に基づいて前記複数のセルの中から次にサービングセルに設定するセルを選択する選択部と、
を備えることを特徴とする端末。
【請求項７】
基地局が、周波数の異なる複数のセルの周波数に対する優先度の比率を決定する決定ステップと、
前記基地局が、前記優先度の比率を、自局が形成するセルをサービングセルに設定している端末へ送信する送信ステップと、
前記端末が、サービングセルに設定しているセルを形成する前記基地局から前記優先度の比率を受信する受信ステップと、
前記端末が、受信した前記優先度の比率に基づいて前記複数のセルの中から次にサービングセルに設定するセルを選択する選択ステップと、
を含むことを特徴とする無線通信方法。
【請求項８】
前記決定ステップでは、前記基地局は、前記周波数の異なる複数のセルの負荷に応じて、相対的に負荷の高いセルの周波数に対する前記優先度の比率を現在の値よりも下げるか、相対的に負荷の低いセルの周波数に対する前記優先度の比率を現在の値よりも上げるか、またはその両方を行うことを特徴とする請求項７に記載の無線通信方法。
【請求項９】
前記端末が、サービングセルに設定しているセル以外の周辺のセルの受信電力を測定するステップを有し、
前記受信ステップでは、前記端末は、前記優先度の比率とともに、次にサービングセルに設定するセルを選択するか否かを判断する際の基準となる受信電力の条件を受信し、
前記選択ステップでは、前記端末は、前記受信電力の測定値が前記受信電力の条件を満たすときに任意の値を生成し、確認することのできるセルの周波数に対する前記優先度の比率と前記サービングセルに設定しているセルの周波数に対する前記優先度の比率から各々の割合を求め、該割合と前記任意の値との比較結果に基づいて、前記複数のセルの中から次にサービングセルに設定するセルを選択する
ことを特徴とする請求項７に記載の無線通信方法。
【発明の詳細な説明】
【技術分野】
【０００１】
この発明は、無線通信システム、基地局、端末および無線通信方法に関する。
【背景技術】
【０００２】
従来、無線通信システムにおいて、端末の動作状態には通信状態と待機状態とがある。通信状態では、端末は基地局に接続しており、ネットワークとの間で通信を行う。待機状態では、端末は基地局に接続していないが、定期的に周辺に存在するセルを監視し、確認できるセルの中から一つのセルをサービングセルに設定する。端末は端末からの発信やネットワークからの着信のときに、サービングセルを形成する基地局に接続して通信を開始する。ここでは、基地局が形成する無線のサービスエリアをセルと呼んでいる。
【０００３】
端末は、サービングセルからブロードキャストされるシステム情報に含まれるセル選択情報、サービングセルの受信電力および周辺のセルの受信電力に基づいて次にサービングセルとなるセルを選択する。セル選択情報には、サービングセル情報（ＳｅｒｖｉｎｇＣｅｌｌＩｎｆｏ）、周波数間情報（ＩｎｔｅｒＦｒｅｑＣａｒｒｉｅｒＦｒｅｑＩｎｆｏ）および周辺セル情報（ＩｎｔｅｒＦｒｅｑＮｅｉｇｈＣｅｌｌＩｎｆｏ）が含まれている。サービングセル情報には、「サービングセルを優先するためのヒステリシス（ｑ−Ｈｙｓｔ）」、「周波数間の優先度を決定するパラメータ（ｃｅｌｌＲｅｓｅｌｅｃｔｉｏｎＰｒｉｏｒｉｔｙ）」および「サービングセルの周波数の受信電力の閾値（ｔｈｒｅｓｈＳｅｒｖｉｎｇＬｏｗ）」の各パラメータが含まれている。
【０００４】
周波数間情報には、「優先度が高い場合に参照される対象周波数の受信電力の閾値（ｔｈｒｅｓｈＸ−Ｈｉｇｈ）」、「優先度が低い場合に参照される対象周波数の受信電力の閾値（ｔｈｒｅｓｈＸ−Ｌｏｗ）」、「周波数間の優先度を決定するパラメータ（ｃｅｌｌＲｅｓｅｌｅｃｔｉｏｎＰｒｉｏｒｉｔｙ）」および「対象周波数に設定する受信電力のオフセット（ｑ−ＯｆｆｓｅｔＦｒｅｑ）」の各パラメータが含まれている。周辺セル情報には、「周辺のセルのＩＤ（Ｃｅｌｌ  ＩＤ）」および「対象となる周辺のセルに設定する受信電力のオフセット（ｑ−ＯｆｆｓｅｔＣｅｌｌ）」の各パラメータが含まれている。
【０００５】
待機状態の端末は、以下の（１）〜（３）に従って次のサービングセルを設定する。
【０００６】
（１）サービングセル情報の「周波数間の優先度を決定するパラメータ」＜周波数間情報の「周波数間の優先度を決定するパラメータ」の場合
待機状態の端末は、周辺セル情報に含まれている、周波数が異なる周辺のセルの受信電力を測定する。周辺のセルの受信電力が周波数間情報の「優先度が高い場合に参照される対象周波数の受信電力の閾値」を超えている場合、待機状態の端末は、優先度が高い周波数を使用している周辺のセルを確認することができる。この場合、待機状態の端末は、その優先度が高い周波数を使用している周辺のセルを新しいサービングセルとして設定する。
【０００７】
（２）サービングセル情報の「周波数間の優先度を決定するパラメータ」＝周波数間情報の「周波数間の優先度を決定するパラメータ」の場合
待機状態の端末は、現在のサービングセルの受信電力（Ｓ＿ｓｅｒｖ）および周辺セル情報に含まれている、周波数が異なる周辺のセルの受信電力（Ｓ＿ｎｅｉｇｈ）を測定する。周辺のセルの受信電力が次の式を満たす場合、その周辺のセルの受信電力は現在のサービングセルの受信電力よりもオフセット分高いことになる。この場合、待機状態の端末は、その受信電力がオフセット分高い周辺のセルを新しいサービングセルとして設定する。
【０００８】
［Ｓ＿ｓｅｒｖ］＋［ｑ−Ｈｙｓｔ］＜［Ｓ＿ｎｅｉｇｈ］−（［ｑ−ＯｆｆｓｅｔＦｒｅｑ］＋［ｑ−ＯｆｆｓｅｔＣｅｌｌ］
【０００９】
（３）サービングセル情報の「周波数間の優先度を決定するパラメータ」＞周波数間情報の「周波数間の優先度を決定するパラメータ」の場合
待機状態の端末は、現在のサービングセルの受信電力および周辺セル情報に含まれている、周波数が異なる周辺のセルの受信電力を測定する。現在のサービングセルの受信電力が「サービングセルの周波数の受信電力の閾値」よりも小さい場合、待機状態の端末は、現在のサービングセルには接続できないと判断する。その一方で、周辺のセルの受信電力が周波数間情報の「優先度が低い場合に参照される対象周波数の受信電力の閾値」を超えている場合、待機状態の端末は、その優先度が低い場合の受信電力の閾値を超えている周辺のセルに接続可能であると判断する。この場合、待機状態の端末は、その優先度が低い場合の受信電力の閾値を超えている周辺のセルを新しいサービングセルとして設定する。
【００１０】
上述した（１）〜（３）をまとめると、待機状態の端末は、周波数の異なる複数のセルを確認できる状態において、まず、周波数間の優先度の高いセルを優先的にサービングセルとして設定する。周波数の異なる複数のセルにおいて周波数間の優先度が同じ場合には、待機状態の端末は、受信電力の高いセルを優先的にサービングセルとして設定する。
【００１１】
また、端末が基地局に接続する方法として、次のような方法がある。端末は、接続可能な複数の基地局を受信電力の高いグループと受信電力の低いグループに二分し、一方のグループから選択した一つの基地局に対して接続を要求し、接続できない場合に他方のグループから選択した一つの基地局に対して接続を要求する、という動作を繰り返す。
【先行技術文献】
【特許文献】
【００１２】
【特許文献１】特開平１１−２８５０４６号公報
【非特許文献】
【００１３】
【非特許文献１】３ＧＰＰ  ＴＳ  ３６．３０４  Ｖ９．１．０（２００９−１２）
【発明の概要】
【発明が解決しようとする課題】
【００１４】
しかしながら、従来のサービングセルの設定方法では、待機状態の端末は、周波数間の優先度の高いセル、周波数間の優先度が同じである場合には受信電力の高いセル、を優先的にサービングセルとして設定する。通常、基地局の送信電力が同じ場合、待機状態の端末における受信電力は、セルで使用されている周波数の周波数帯が低いと大きくなる。そのため、複数の待機状態の端末が周波数の異なる複数のセルを確認できる同じエリアにいる場合、それらの端末は同じセルをサービングセルとして設定することが多い。これは、同じ基地局が周波数の異なる複数のセルを形成する場合でも、複数の基地局がそれぞれ異なる周波数のセルを形成する場合でも、同様である。このように複数の待機状態の端末が同じセルをサービングセルに設定すると、サービングセルに設定されたセルでは端末からの接続処理における負荷が増大するという問題点がある。
【００１５】
複数の待機状態の端末が周波数の異なる複数のセルを確認できる状況において、サービングセルに設定されたセルの負荷の増大を抑制することができる無線通信システム、基地局、端末および無線通信方法を提供することを目的とする。
【課題を解決するための手段】
【００１６】
無線通信システムは、周波数の異なる複数のセルを、セルの一部または全部の領域が互いに重なるように形成する１以上の基地局と、周波数の異なる複数のセルを確認することが可能な端末と、を備える。基地局は、周波数の異なる複数のセルの周波数に対する優先度の比率を決定する。基地局は、決定した優先度の比率を、自局が形成するセルをサービングセルに設定している端末へ送信する。端末は、サービングセルに設定しているセルを形成する基地局から優先度の比率を受信する。端末は、受信した優先度の比率に基づいて複数のセルの中から次にサービングセルに設定するセルを選択する。
【発明の効果】
【００１７】
無線通信システム、基地局、端末および無線通信方法によれば、複数の待機状態の端末が周波数の異なる複数のセルを確認できる状況において、サービングセルに設定されたセルの負荷の増大を抑制することができる。
【図面の簡単な説明】
【００１８】
【図１】図１は、実施例１にかかる無線通信システムを示すブロック図である。
【図２】図２は、実施例１にかかる無線通信方法を示すフローチャートである。
【図３】図３は、実施例１にかかる無線通信システムの別の例を示すブロック図である。
【図４】図４は、実施例１にかかる無線通信システムのさらに別の例を示すブロック図である。
【図５】図５は、実施例２にかかる基地局を示すブロック図である。
【図６】図６は、実施例２にかかる無線通信方法における優先度の比率の決定処理を示すフローチャートである。
【図７】図７は、実施例２にかかる端末を示すブロック図である。
【図８】図８は、実施例２にかかる無線通信方法におけるサービングセルの選択処理を示すフローチャートである。
【図９】図９は、図８の続きを示すフローチャートである。
【図１０】図１０は、図９の続きを示すフローチャートである。
【図１１】図１１は、実施例３にかかる無線通信方法におけるセル選択情報の更新手順を示すシーケンス図である。
【図１２】図１２は、実施例３にかかる基地局を示すブロック図である。
【図１３】図１３は、実施例３にかかる無線通信方法におけるセル選択情報更新リクエストの送信処理を示すフローチャートである。
【図１４】図１４は、実施例３にかかる無線通信方法におけるセル選択情報更新リクエストの受信処理を示すフローチャートである。
【発明を実施するための形態】
【００１９】
以下に、この発明にかかる無線通信システム、基地局、端末および無線通信方法の実施例を図面に基づいて詳細に説明する。実施の形態は、基地局が周波数の異なる複数のセルの負荷に応じて各セルの周波数に対する優先度の比率を決定し、端末がその優先度の比率に基づいて複数のセルの中から次にサービングセルに設定するセルを選択するものである。なお、この実施例によりこの発明が限定されるものではない。
【００２０】
（実施例１）
・無線通信システム、基地局および端末の説明
図１は、実施例１にかかる無線通信システムを示すブロック図である。図１に示すように、無線通信システムにおいて、基地局１は、周波数の異なる複数のセル、例えば周波数ｆａのセルＡ２および周波数ｆｂのセルＢ３を形成している。セルＡ２とセルＢ３とはその一部または全部の領域で互いに重なっている。端末４は、セルＡ２とセルＢ３とが重なる領域にいるときには、セルＡ２およびセルＢ３を確認することができる。待機状態の端末４は、確認することができたセルの中から一つをサービングセルに設定する。
【００２１】
基地局１は決定部５および送信部６を備えている。決定部５は、セルＡ２の負荷とセルＢ３の負荷とに応じてセルＡ２の周波数ｆａに対する優先度の比率およびセルＢ３の周波数ｆｂに対する優先度の比率を決定する。送信部６は、決定した優先度の比率を、自局（基地局１）が形成するセル（セルＡ２またはセルＢ３）をサービングセルに設定している端末４へ送信する。
【００２２】
端末４は受信部７および選択部８を備えている。端末４が待機状態にあるとき、受信部７は、サービングセルに設定しているセル（セルＡ２またはセルＢ３）を形成する基地局１から優先度の比率を受信する。端末４が待機状態にあるとき、選択部８は、受信した優先度の比率に基づいてセルＡ２およびセルＢ３の中から次にサービングセルに設定するセルを選択する。
【００２３】
・無線通信方法の説明
図２は、実施例１にかかる無線通信方法を示すフローチャートである。図２に示すように、処理が開始されるとまず基地局１は、決定部５により、セルＡ２の負荷とセルＢ３の負荷とに応じてセルＡ２の周波数ｆａに対する優先度の比率およびセルＢ３の周波数ｆｂに対する優先度の比率を決定する（ステップＳ１）。次いで基地局１は、送信部６により、ステップＳ１で決定した優先度の比率を、自局（基地局１）が形成するセル（セルＡ２またはセルＢ３）をサービングセルに設定している端末４へ送信する（ステップＳ２）。
【００２４】
一方、待機状態の端末４は、受信部７により、サービングセルに設定しているセル（セルＡ２またはセルＢ３）を形成する基地局１から優先度の比率を受信する（ステップＳ３）。次いで待機状態の端末４は、選択部８により、ステップＳ３で受信した優先度の比率に基づいてセルＡ２およびセルＢ３の中から次にサービングセルに設定するセルを選択し（ステップＳ４）、一連の処理を終了する。
【００２５】
実施例１によれば、端末４は、待機状態にあるとき、セルＡ２の周波数ｆａに対する優先度の比率とセルＢ３の周波数ｆｂに対する優先度の比率とに基づいて、セルＡ２またはセルＢ３を次のサービングセルに設定する。セルＡ２の周波数ｆａに対する優先度の比率およびセルＢ３の周波数ｆｂに対する優先度の比率は、セルＡ２の負荷およびセルＢ３の負荷に応じて決定されている。従って、端末４は、セルＡ２の負荷およびセルＢ３の負荷に応じてセルＡ２またはセルＢ３を次のサービングセルに設定するので、複数の待機状態の端末によってサービングセルに設定されるセルが分散し、サービングセルに設定されたセルの負荷が増大するのを抑制することができる。
【００２６】
また、別の方法として、同じセルに接続した端末をハンドオーバによって別のセルに接続させることによってセルの負荷を分散させることができる。しかし、その場合にはハンドオーバを行う処理が増えるという問題点と、その処理に無線リソースが消費されるという問題点がある。それに対して、実施例１によれば、予めセルＡ２の負荷およびセルＢ３の負荷に応じてセルＡ２またはセルＢ３が次のサービングセルに設定されるので、ハンドオーバによって端末の接続先を分散させずに済む。従って、ハンドオーバ処理を行うことによる基地局および端末の処理の増大および無線リソースの消費を抑制することができる。
【００２７】
図３または図４に示すように、複数の基地局、例えば基地局Ａ９および基地局Ｂ１０がそれぞれ異なる周波数のセルを、セルの一部または全部の領域が互いに重なるように形成し、その重なる領域に端末４が存在する場合も同様の効果が得られる。なお、周波数の異なるセルの数は二つに限らず、三つ以上でもよい。
【００２８】
（実施例２）
実施例１にかかる無線通信システムの一例として例えばＬＴＥ（Ｌｏｎｇ  Ｔｅｒｍ  Ｅｖｏｌｕｔｉｏｎ）が挙げられる。ＬＴＥは、第３世代携帯電話方式の標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）において標準化が進められている。実施例２は、ＬＴＥに実施例１にかかる無線通信システムを適用した例である。実施例２では、図１に示すように一つの基地局が周波数の異なる複数のセルを形成している場合について説明する。実施例１と重複する説明については省略する。なお、実施例１にかかる無線通信システムは、ＬＴＥ以外の無線通信システムにも適用可能である。
【００２９】
・基地局の説明
図５は、実施例２にかかる基地局を示すブロック図である。図５に示すように、基地局は無線制御部２１、無線処理部２２およびネットワーク制御処理部（ＮＷ制御処理部）２３を備えている。無線処理部２２は、基地局が形成する周波数の異なるセルごとに設けられている。ここでは、特に限定しないが、基地局が周波数の異なる二つのセル（セルＡとセルＢ）を形成するとする。従って、図５には、無線処理部２２が二つ設けられている。
【００３０】
無線制御部２１は、自局に接続する端末の数やトラフィックの負荷などに応じて、セルごとの無線処理部２２を制御する。無線制御部２１は、システム情報生成部３１、決定部としてのスケジューリング部３２、および記憶部３３を備えている。
【００３１】
スケジューリング部３２は、無線処理部２２のパケットバッファ部３６に保持されているパケットのパケット量、および端末から受信した無線のデータや制御情報などに基づいて、無線処理のスケジューリング処理を行う。スケジューリング部３２は、自局が形成する各セルに対するセル選択情報のパラメータ値を設定する。セル選択情報には、［背景技術］において説明したサービングセル情報、周波数間情報および周辺セル情報が含まれている。
【００３２】
さらに、実施例２では、サービングセル情報に「優先度の比率（ＰｒｉｏｒｉｔｙＦａｃｔｏｒ）」のパラメータが設けられている。周波数間情報には、「優先度の比率（ＰｒｉｏｒｉｔｙＦａｃｔｏｒ）」、および端末が優先度の比率に基づいて次にサービングセルに設定するセルを選択するか否かを判断する際の基準となる「受信電力の条件（ＴｒｉｇｇｅｒＴｈｒｅｓｈ）」のパラメータが設けられている。スケジューリング部３２は、システム情報生成部３１に対して各セルのセル選択情報を生成するように指示する。
【００３３】
システム情報生成部３１は、スケジューリング部３２により設定されたセル選択情報のパラメータ値に基づいてセル選択情報を含むシステム情報を生成する。システム情報生成部３１により生成されたシステム情報は、各セルに対応する無線処理部２２のプロトコルデータユニット生成部３５に送信される。記憶部３３は、その時点で設定されているシステム情報を保持している。
【００３４】
無線処理部２２は、自局に接続する端末や自局が形成するセルをサービングセルとする待機状態の端末へのデータの送信処理や、それらの端末からのデータの受信処理を行う。無線処理部２２は、送信部３４、プロトコルデータユニット生成部（ＰＤＵ生成部、ＰＤＵ：Ｐｒｏｔｏｃｏｌ  Ｄａｔａ  Ｕｎｉｔ）３５、パケットバッファ部３６、受信部３７、制御情報取得部３８およびパケット生成部３９を備えている。
【００３５】
パケットバッファ部３６は、ネットワーク制御処理部２３のパケット識別部４０から送信されてきたパケットを保持する。プロトコルデータユニット生成部３５は、スケジューリング部３２によるスケジューリング処理結果に基づいて、パケットバッファ部３６に保持されているパケットやシステム情報生成部３１により生成されたシステム情報を用いて、プロトコルに応じたデータユニットを生成する。送信部３４は、スケジューリング処理結果に基づいて、プロトコルデータユニット生成部３５により生成されたデータを、自局に接続する端末や自局が形成するセルをサービングセルとする待機状態の端末へアンテナを介して送信する。各無線処理部２２は、対応するセルで用いている周波数でシステム情報を定期的にブロードキャストする。
【００３６】
受信部３７は、自局に接続する端末や自局が形成するセルをサービングセルとする待機状態の端末からアンテナを介してデータを受信する。制御情報取得部３８は、端末から受信したデータから制御情報を取得する。制御情報取得部３８が取得した制御情報はスケジューリング部３２へ送信される。ネットワーク宛のユーザデータはパケット生成部３９へ送信される。パケット生成部３９は、制御情報取得部３８から送信されてきたデータを用いてパケットを生成する。
【００３７】
ネットワーク制御処理部２３は、ネットワークから受信したパケットや無線処理部２２から受信したパケットの処理を行う。ネットワーク制御処理部２３は、パケット識別部４０およびネットワークインタフェース部（ＮＷインタフェース部）４１を備えている。
【００３８】
ネットワークインタフェース部４１は、ネットワークとのインタフェースであり、ネットワーク側からユーザデータのパケットを受信する。ネットワークインタフェース部４１は、パケット生成部３９により生成されたネットワーク宛のパケットをネットワークへ送信する。パケット識別部４０は、ネットワーク側から受信したユーザデータのパケットが例えば音声データのパケットであるかデータ通信のパケットであるかなどの種類や、パケットの宛先を識別する。パケット識別部４０により識別されたユーザデータのパケットは、宛先に応じたセルの無線処理部２２へ送信され、その無線処理部２２において例えばパケットバッファ部３６にパケットの種類に応じて格納される。
【００３９】
・無線通信方法の説明
実施例２にかかる無線通信方法は、実施例１にかかる無線通信方法と同様である。
【００４０】
・無線通信方法における優先度の比率の決定処理の説明
図６は、実施例２にかかる無線通信方法における優先度の比率の決定処理を示すフローチャートである。この優先度の比率の決定処理は、実施例１にかかる無線通信方法のステップＳ１（図２参照）に相当するステップで実施される。図６に示すように、基地局において優先度の比率を決定する処理が開始されると、スケジューリング部３２は、自局が形成する各セルの負荷、ここではセルＡの負荷およびセルＢの負荷を取得する。セルの負荷として、例えばセルを利用している端末の数を用いてもよいし、セルの無線リソースの使用状況などを用いてもよい。スケジューリング部３２は、セルＡの負荷率とセルＢの負荷率との差分を求め、その差分が閾値Ｘよりも大きいか否かを判断する（ステップＳ１１）。
【００４１】
負荷率は、例えばセルを利用可能な端末の最大数に対するセルを利用している端末数の割合であってもよいし、例えばセルの無線リソースの最大値に対する使用中の無線リソースの値の割合であってもよい。閾値Ｘは予め設定されており、例えば記憶部３３に格納されていてもよい。
【００４２】
セルＡの負荷率とセルＢの負荷率との差分が閾値Ｘよりも大きくない場合（ステップＳ１１：Ｎｏ）、スケジューリング部３２はセル選択情報を更新しないと判断し、処理を終了する。セルＡの負荷率とセルＢの負荷率との差分が閾値Ｘよりも大きい場合（ステップＳ１１：Ｙｅｓ）、スケジューリング部３２はセル選択情報を更新すると判断する。そして、スケジューリング部３２は、セルＡの負荷率とセルＢの負荷率とを比較する（ステップＳ１２）。
【００４３】
比較の結果、セルＡの負荷率がセルＢの負荷率よりも大きい場合（ステップＳ１２：Ｙｅｓ）、スケジューリング部３２はセルＡのセル選択情報の中のサービングセル情報の中の「優先度の比率」を下げる。あるいは、セルＢのセル選択情報の中のサービングセル情報の中の「優先度の比率」を上げてもよい。あるいは、セルＡについては「優先度の比率」を下げ、かつセルＢについては「優先度の比率」を上げてもよい（ステップＳ１３）。それによって、セルＢをサービングセルに設定する待機状態の端末数が増加し、セルＡの負荷が軽減される。そして、一連の処理を終了する。
【００４４】
一方、セルＡの負荷率とセルＢの負荷率とを比較した結果、セルＡの負荷率がセルＢの負荷率よりも大きくない場合（ステップＳ１２：Ｎｏ）、スケジューリング部３２はセルＢのセル選択情報の中のサービングセル情報の中の「優先度の比率」を下げる。あるいは、セルＡのセル選択情報の中のサービングセル情報の中の「優先度の比率」を上げてもよい。あるいは、セルＢについては「優先度の比率」を下げ、かつセルＡについては「優先度の比率」を上げてもよい（ステップＳ１４）。それによって、セルＡをサービングセルに設定する待機状態の端末数が増加し、セルＢの負荷が軽減される。そして、一連の処理を終了する。
【００４５】
セル選択情報の中のサービングセル情報の中の「優先度の比率」については、例えば初期値を１とし、負荷の偏りが生じた場合に、負荷率の大きいセルに対してセル選択情報の中のサービングセル情報の中の「優先度の比率」を０．１下げてもよい。あるいは、負荷率の小さいセルに対して、セル選択情報の中のサービングセル情報の中の「優先度の比率」を０．１上げてもよい。例えばセルＢの負荷率がセルＡの負荷率よりも大きい場合、セルＡのセル選択情報の中のサービングセル情報の中の「優先度の比率」を１．１とし、セルＢのセル選択情報の中のサービングセル情報の中の「優先度の比率」を１としてもよい。
【００４６】
あるいは、例えばセルＢの負荷率がセルＡの負荷率よりも大きい場合、セルＡのセル選択情報の中のサービングセル情報の中の「優先度の比率」を１とし、セルＢのセル選択情報の中のサービングセル情報の中の「優先度の比率」を０．９としてもよい。また、例えばセルＢの負荷率がセルＡの負荷率よりも大きい場合、セルＡのセル選択情報の中のサービングセル情報の中の「優先度の比率」を１．１とし、セルＢのセル選択情報の中のサービングセル情報の中の「優先度の比率」を０．９としてもよい。
【００４７】
・端末の説明
図７は、実施例２にかかる端末を示すブロック図である。端末はデュプレクサ５１、受信部５２、選択部としてのスケジューリング部５３、および制御情報抽出部５４を備えている。
【００４８】
受信部５２は、基地局が送信したデータをアンテナおよびデュプレクサ５１を介して受信する。受信部５２は、サービングセルの受信電力および周辺のセルの受信電力を計測し、その計測結果をスケジューリング部５３に通知する。制御情報抽出部５４は、受信部５２で受信したデータからシステム情報を抽出する。制御情報抽出部５４により抽出されたシステム情報は、スケジューリング部５３に通知される。スケジューリング部５３は、受信部５２から通知されたサービングセルの受信電力および周辺のセルの受信電力、並びに制御情報抽出部５４から通知されたシステム情報の中のセル選択情報に基づいて、サービングセルの選択処理を行い、次のサービングセルを設定する。
【００４９】
また、端末は、制御情報生成部５５、プロトコルデータユニット生成部（ＰＤＵ生成部）５６、送信部５７、記憶部５８、パケットバッファ部５９、パケット生成部６０およびアプリケーション処理部６１を備えている。
【００５０】
パケットバッファ部５９は、アプリケーション処理部６１で処理されたパケットを保持する。パケット生成部６０は、制御情報抽出部５４から送信されてきたデータを用いてパケットを生成する。アプリケーション処理部６１は、パケット生成部６０から送信されてきたパケットを処理する。
【００５１】
待機状態の端末が基地局に接続する際には、端末はサービングセルの周波数で接続を行う。その後、スケジューリング部５３は、パケットバッファ部５９に保持されているパケットのパケット量、および基地局から受信した無線のデータや制御情報などに基づいて、無線処理のスケジューリング処理を行う。また、スケジューリング部５３は、制御情報生成部５５に対して制御情報を生成するように指示する。
【００５２】
制御情報生成部５５は、端末が基地局に接続するための制御情報を生成する。制御情報生成部５５により生成された制御情報はプロトコルデータユニット生成部５６へ送信される。プロトコルデータユニット生成部５６は、スケジューリング部５３によるスケジューリング処理結果に基づいて、パケットバッファ部５９に保持されているパケットや制御情報生成部５５により生成された制御情報を用いて、プロトコルに応じたデータユニットを生成する。送信部５７は、スケジューリング処理結果に基づいて、プロトコルデータユニット生成部５６により生成されたデータをデュプレクサ５１およびアンテナを介して基地局へ送信する。
【００５３】
・無線通信方法におけるサービングセルの選択処理の説明
図８〜図１０は、実施例２にかかる無線通信方法におけるサービングセルの選択処理を示すフローチャートである。このサービングセルの選択処理は、実施例１にかかる無線通信方法のステップＳ４（図２参照）に相当するステップで実施される。図８に示すように、端末においてサービングセルを選択する処理が開始されると、スケジューリング部５３は、セル選択情報の中のサービングセル情報の中の「周波数間の優先度を決定するパラメータ」と周波数間情報の中の「周波数間の優先度を決定するパラメータ」とが等しいか否かを判断する（ステップＳ２１）。
【００５４】
両「周波数間の優先度を決定するパラメータ」が等しい場合（ステップＳ２１：Ｙｅｓ）、スケジューリング部５３は、対象の周辺のセルの受信電力が周波数間情報の中の「受信電力の条件」よりも大きいか否かを判断する（ステップＳ２２）。対象の周辺のセルの受信電力が「受信電力の条件」よりも大きい場合（ステップＳ２２：Ｙｅｓ）、スケジューリング部５３は０〜１の任意の値Ｗを生成する（ステップＳ２３）。
【００５５】
次いで、スケジューリング部５３は、サービングセル情報の中の「優先度の比率」を「優先度の比率」の合計値で除した値Ｙを求める（ステップＳ２４）。「優先度の比率」の合計値は、サービングセル情報の中の「優先度の比率」と周波数間情報の中の「優先度の比率（ＰｒｉｏｒｉｔｙＦａｃｔｏｒ）」との和である。次いで、スケジューリング部５３は、ステップＳ２３で生成した値Ｗが、ステップＳ２４で求めた値Ｙよりも小さいか否かを判断する（ステップＳ２５）。
【００５６】
ＷがＹよりも小さい場合（ステップＳ２５：Ｙｅｓ）、スケジューリング部５３は次のサービングセルとして現在のサービングセルのセルを選択する（ステップＳ２６）。ＷがＹよりも小さくない場合（ステップＳ２５：Ｎｏ）、スケジューリング部５３は次のサービングセルとして、現在のサービングセルのセルではなく、対象の周辺のセルを選択する（ステップＳ２７）。そして、一連の処理を終了する。
【００５７】
一方、ステップＳ２１でサービングセル情報の中の「周波数間の優先度を決定するパラメータ」と周波数間情報の中の「周波数間の優先度を決定するパラメータ」とが等しくない場合（ステップＳ２１：Ｎｏ）、図９に示すように、スケジューリング部５３は両「周波数間の優先度を決定するパラメータ」を比較する（ステップＳ２８）。比較の結果、サービングセル情報の中の「周波数間の優先度を決定するパラメータ」の方が大きい場合（ステップＳ２８：サービングセル情報が大）、スケジューリング部５３は、サービングセルの受信電力がサービングセル情報の中の「サービングセルの周波数の受信電力の閾値」よりも小さいか否かを判断する（ステップＳ２９）。
【００５８】
サービングセルの受信電力の方が小さい場合（ステップＳ２９：Ｙｅｓ）、スケジューリング部５３は、対象の周辺のセルの受信電力が周波数間情報の中の「優先度が低い場合に参照される対象周波数の受信電力の閾値」以上であるか否かを判断する（ステップＳ３０）。対象の周辺のセルの受信電力が「優先度が低い場合に参照される対象周波数の受信電力の閾値」以上である場合（ステップＳ３０：Ｙｅｓ）、スケジューリング部５３は次のサービングセルとして、対象の周辺のセルを選択する（図８、ステップＳ２７）。
【００５９】
ステップＳ２９でサービングセルの受信電力の方が小さくない場合（ステップＳ２９：Ｎｏ）、またはステップＳ３０で対象の周辺のセルの受信電力が「優先度が低い場合に参照される対象周波数の受信電力の閾値」以上でない場合（ステップＳ３０：Ｎｏ）、スケジューリング部５３は次のサービングセルとして現在のサービングセルのセルを選択する（図８、ステップＳ２６）。そして、一連の処理を終了する。
【００６０】
ステップＳ２８で周波数間情報の中の「周波数間の優先度を決定するパラメータ」の方が大きい場合（ステップＳ２８：周波数間情報が大）、図１０に示すように、スケジューリング部５３は、対象の周辺のセルの受信電力が周波数間情報の中の「優先度が高い場合に参照される対象周波数の受信電力の閾値」以上であるか否かを判断する（ステップＳ３１）。対象の周辺のセルの受信電力が「優先度が高い場合に参照される対象周波数の受信電力の閾値」以上である場合（ステップＳ３１：Ｙｅｓ）、スケジューリング部５３は次のサービングセルとして、対象の周辺のセルを選択する（図８、ステップＳ２７）。
【００６１】
対象の周辺のセルの受信電力が「優先度が高い場合に参照される対象周波数の受信電力の閾値」以上でない場合（ステップＳ３１：Ｎｏ）、スケジューリング部５３は次のサービングセルとして現在のサービングセルのセルを選択する（図８、ステップＳ２６）。そして、一連の処理を終了する。また、ステップＳ２２で対象の周辺のセルの受信電力が「受信電力の条件」よりも大きくない場合（ステップＳ２２：Ｎｏ）、スケジューリング部５３は次のサービングセルとして現在のサービングセルのセルを選択し（図８、ステップＳ２６）、一連の処理を終了する。
【００６２】
実施例２によれば、実施例１と同様の効果が得られる。
【００６３】
（実施例３）
実施例３は、ＬＴＥに実施例１にかかる無線通信システムを適用した例である。実施例３では、図３に示すように複数の基地局が周波数の異なる複数のセルを形成している場合について説明する。ここでは一例として、二つの基地局がそれぞれ周波数の異なるセルを一つずつ形成している場合について説明する。実施例１と重複する説明については省略する。また、実施例２と同様の構成については実施例２と同じ符号を付して説明を省略する。
【００６４】
図１１は、実施例３にかかる無線通信方法におけるセル選択情報の更新手順を示すシーケンス図である。図１１に示すように、一方の基地局Ａが他方の基地局Ｂへセル選択情報更新リクエストを送信する（ステップＳ４１）。セル選択情報更新リクエストには、セル選択情報更新リクエストの送信元のセルの負荷率が挿入されている。基地局Ｂは、セル選択情報更新リクエストを受信し、その応答として基地局ＡにＡＣＫまたはＮＡＣＫのセル選択情報更新レスポンスを返す（ステップＳ４２）。セル選択情報更新レスポンスには、セル選択情報更新レスポンスの送信元のセルの負荷率が挿入されている。
【００６５】
このようにして、基地局Ａと基地局Ｂとは互いに相手の負荷率を認識する。また、基地局Ｂが基地局ＡにＡＣＫのセル選択情報更新レスポンスを返すことによって、基地局Ａおよび基地局Ｂにおいてセル選択情報が更新される。なお、図３に示す例では基地局ＡのセルＡが基地局ＢのセルＢの全領域を含む構成となっているが、基地局ＢのセルＢが基地局ＡのセルＡの全領域を含む構成となっていてもよい。あるいは、図４に示す例のように基地局ＡのセルＡの一部と基地局ＢのセルＢの一部とが重なる構成であってもよい。
【００６６】
・基地局の説明
図１２は、実施例３にかかる基地局を示すブロック図である。図１２に示すように、基地局Ａおよび基地局Ｂの構成は実施例２と同様である。ただし、ネットワークインタフェース部４１は、周辺の基地局（自局がＡである場合には基地局Ｂ）との間でセル選択情報更新リクエストおよびセル選択情報更新レスポンスの送受信を行う。パケット識別部４０はネットワークインタフェース部４１からセル選択情報更新リクエストを受信するとスケジューリング部３２にセル選択情報更新リクエストを通知する。
【００６７】
スケジューリング部３２は、セル選択情報更新リクエストに挿入されている送信元のセルの負荷率に基づいて、セル選択情報の更新を行うか否かを判断する。スケジューリング部３２は、自局のセルの負荷率を測定し、セル選択情報を更新する場合、ＡＣＫのセル選択情報更新レスポンスを生成するとともに、自局のセルの負荷率をセル選択情報更新レスポンスに挿入し、パケット生成部３９へ送信する。それと同時に、スケジューリング部３２はシステム情報生成部３１にセル選択情報を更新することを通知する。スケジューリング部３２は、自局のセルの負荷率を測定し、セル選択情報を更新しない場合、ＮＡＣＫのセル選択情報更新レスポンスを生成するとともに、自局のセルの負荷率をセル選択情報更新レスポンスに挿入し、パケット生成部３９へ送信する。
【００６８】
パケット生成部３９は、セル選択情報更新レスポンスからパケットを生成する。セル選択情報更新レスポンスのパケットは、ネットワークインタフェース部４１およびネットワークを介してセル選択情報更新リクエストの送信元の基地局へ送信される。
【００６９】
また、スケジューリング部３２は、自局のセルの負荷率を測定し、セル選択情報更新リクエストを生成して、自局のセルの負荷率を挿入したセル選択情報更新リクエストをパケット生成部３９へ送信する。パケット生成部３９は、セル選択情報更新リクエストからパケットを生成する。セル選択情報更新リクエストのパケットは、ネットワークインタフェース部４１およびネットワークを介して周辺の基地局へ送信される。
【００７０】
スケジューリング部３２は、自局が送信したセル選択情報更新リクエストの応答として、周辺の基地局からネットワーク、ネットワークインタフェース部４１およびパケット識別部４０を介してセル選択情報更新レスポンスを受信する。スケジューリング部３２は、セル選択情報更新レスポンスがＡＣＫである場合、システム情報生成部３１にセル選択情報を更新することを通知する。基地局のその他の構成は実施例２と同様である。
【００７１】
・無線通信方法の説明
実施例３にかかる無線通信方法は、実施例１にかかる無線通信方法と同様である。
【００７２】
・無線通信方法におけるセル選択情報更新リクエストの送信処理の説明
図１３は、実施例３にかかる無線通信方法におけるセル選択情報更新リクエストの送信処理を示すフローチャートである。このセル選択情報更新リクエストの送信処理は、実施例１にかかる無線通信方法のステップＳ１（図２参照）に相当するステップで実施される。図１３に示すように、基地局Ａにおいてセル選択情報更新リクエストを送信する処理が開始されると、スケジューリング部３２は、自局Ａのセルの負荷率を計測する。スケジューリング部３２は、計測した負荷率が閾値Ｚよりも大きいか否かを判断する（ステップＳ５１）。閾値Ｚは予め設定されており、例えば記憶部３３に格納されていてもよい。
【００７３】
自局Ａのセルの負荷率が閾値Ｚよりも大きくない場合（ステップＳ５１：Ｎｏ）、スケジューリング部３２はセル選択情報を更新しないと判断し、処理を終了する。自局Ａのセルの負荷率が閾値Ｚよりも大きい場合（ステップＳ５１：Ｙｅｓ）、基地局Ａは周辺の基地局Ｂへセル選択情報更新リクエストを送信する（ステップＳ５２）。セル選択情報更新リクエストには基地局Ａのセルの負荷率が含まれている。次いで、基地局Ａはセル選択情報更新リクエストに対する応答として基地局Ｂからセル選択情報更新レスポンスを受信する（ステップＳ５３）。セル選択情報更新レスポンスには基地局Ｂのセルの負荷率が含まれている。
【００７４】
次いで、スケジューリング部３２は、受信したセル選択情報更新レスポンスがＡＣＫであるか否かを判断する（ステップＳ５４）。セル選択情報更新レスポンスがＡＣＫである場合（ステップＳ５４：Ｙｅｓ）、スケジューリング部３２はセル選択情報の中のサービングセル情報の中の「優先度の比率」を下げる。つまり、自局Ａのセルの優先度の比率を下げる。
【００７５】
あるいは、セル選択情報の中の周波数間情報の中の「優先度の比率」を上げてもよい。つまり、周辺の基地局Ｂのセルの優先度の比率を上げてもよい。あるいは、サービングセル情報の中の「優先度の比率」を下げ、周波数間情報の中の「優先度の比率」を上げてもよい（ステップＳ５５）。それによって、基地局Ｂのセルをサービングセルに設定する待機状態の端末数が増加し、基地局Ａのセルの負荷が軽減される。そして、一連の処理を終了する。セル選択情報更新レスポンスがＡＣＫでない、すなわちＮＡＣＫである場合（ステップＳ５４：Ｎｏ）、スケジューリング部３２はセル選択情報を更新しないと判断し、一連の処理を終了する。
【００７６】
・無線通信方法におけるセル選択情報更新リクエストの受信処理の説明
図１４は、実施例３にかかる無線通信方法におけるセル選択情報更新リクエストの受信処理を示すフローチャートである。このセル選択情報更新リクエストの受信処理は、実施例１にかかる無線通信方法のステップＳ１（図２参照）に相当するステップで実施される。図１４に示すように、基地局Ｂにおいてセル選択情報更新リクエストを受信する処理が開始されると、基地局Ｂは基地局Ａからセル選択情報更新リクエストを受信する（ステップＳ６１）。セル選択情報更新リクエストには基地局Ａのセルの負荷率が含まれている。
【００７７】
次いで、スケジューリング部３２は、自局Ｂのセルの負荷率を計測する。スケジューリング部３２は、基地局Ａのセルの負荷率から自局Ｂのセルの負荷率を引いた値が閾値Ｘよりも大きいか否かを判断する（ステップＳ６２）。実施例２と同様に閾値Ｘは予め設定されており、例えば記憶部３３に格納されていてもよい。基地局Ａのセルの負荷率から自局Ｂのセルの負荷率を引いた値が閾値Ｘよりも大きい場合（ステップＳ６２：Ｙｅｓ）、基地局Ｂは、セル選択情報更新リクエストの送信元である基地局ＡへＡＣＫのセル選択情報更新レスポンスを送信する（ステップＳ６３）。次いで、スケジューリング部３２はセル選択情報の中のサービングセル情報の中の「優先度の比率」を上げる。つまり、自局Ｂのセルの優先度の比率を上げる。
【００７８】
あるいは、セル選択情報の中の周波数間情報の中の「優先度の比率」を下げてもよい。つまり、基地局Ａのセルの優先度の比率を下げてもよい。あるいは、サービングセル情報の中の「優先度の比率」を上げ、周波数間情報の中の「優先度の比率」を下げてもよい（ステップＳ６４）。それによって、基地局Ｂのセルをサービングセルに設定する待機状態の端末数が増加し、基地局Ａのセルの負荷が軽減される。そして、一連の処理を終了する。
【００７９】
一方、基地局Ａのセルの負荷率から自局Ｂのセルの負荷率を引いた値が閾値Ｘよりも大きくない場合（ステップＳ６２：Ｎｏ）、基地局Ｂは、セル選択情報更新リクエストの送信元である基地局ＡへＮＡＣＫのセル選択情報更新レスポンスを送信する（ステップＳ６５）。そして、一連の処理を終了する。セル選択情報更新レスポンスには自局Ｂのセルの負荷率が含まれている。
【００８０】
セル選択情報を更新する場合、セル選択情報更新リクエストを送信した基地局とセル選択情報更新リクエストを受信した基地局とで「優先度の比率」の上げ幅と「優先度の比率」の下げ幅とを同じにしてもよい。例えば、基地局において「優先度の比率」の変更幅が予め決まっていてもよい。例えば、セル選択情報更新リクエストを送信した基地局Ａがセル選択情報の中のサービングセル情報（または周波数間情報）の中の「優先度の比率」を０．１下げる（または上げる）場合、セル選択情報更新リクエストを受信した基地局Ｂがセル選択情報の中のサービングセル情報（または周波数間情報）の中の「優先度の比率」を０．１上げる（または下げる）ようにしてもよい。
【００８１】
あるいは、セル選択情報更新リクエストを送信した基地局Ａのセルの負荷率ａとセル選択情報更新リクエストを受信した基地局Ｂのセルの負荷率ｂとに基づいて「優先度の比率」の変更幅を決定するようにしてもよい。基地局Ａのセル選択情報の中のサービングセル情報の中の「優先度の比率」、および基地局Ｂのセル選択情報の中の周波数間情報の中の「優先度の比率」は、次の式で表される値に更新される。
【００８２】
［更新後の優先度の比率］＝［現在の優先度の比率］×（ａ＋ｂ）／（２×ａ）
【００８３】
基地局Ａのセル選択情報の中の周波数間情報の中の「優先度の比率」、および基地局Ｂのセル選択情報の中のサービングセル情報の中の「優先度の比率」は次の式で表される値に更新される。
【００８４】
［更新後の優先度の比率］＝［現在の優先度の比率］×（ａ＋ｂ）／（２×ｂ）
【００８５】
・端末および端末におけるサービングセルの選択方法の説明
端末の構成は実施例２と同様である。端末におけるサービングセルの選択方法は実施例２と同様である。
【００８６】
実施例３によれば、実施例１と同様の効果が得られる。
【００８７】
上述した実施の形態に関し、さらに以下の付記を開示する。
【００８８】
（付記１）周波数の異なる複数のセルを該セルの一部または全部の領域が互いに重なるように形成する１以上の基地局と、前記周波数の異なる複数のセルを確認することが可能な端末と、を備え、
前記基地局は、前記周波数の異なる複数のセルの周波数に対する優先度の比率を決定し、該優先度の比率を、自局が形成するセルをサービングセルに設定している端末へ送信し、
前記端末は、サービングセルに設定しているセルを形成する基地局から前記優先度の比率を受信し、該優先度の比率に基づいて前記複数のセルの中から次にサービングセルに設定するセルを選択する
ことを特徴とする無線通信システム。
【００８９】
（付記２）前記基地局は、前記周波数の異なる複数のセルの負荷に応じて、相対的に負荷の高いセルの周波数に対する前記優先度の比率を現在の値よりも下げるか、相対的に負荷の低いセルの周波数に対する前記優先度の比率を現在の値よりも上げるか、またはその両方を行うことを特徴とする付記１に記載の無線通信システム。
【００９０】
（付記３）前記基地局は、端末が前記優先度の比率に基づいて次にサービングセルに設定するセルを選択するか否かを判断する際の基準となる受信電力の条件を設定し、該受信電力の条件を、自局が形成するセルをサービングセルに設定している端末へ送信することを特徴とする付記１に記載の無線通信システム。
【００９１】
（付記４）前記端末は、サービングセルに設定しているセルを形成する基地局から、次にサービングセルに設定するセルを選択するか否かを判断する際の基準となる受信電力の条件を受信し、サービングセルに設定しているセル以外の周辺のセルの受信電力を測定し、該受信電力の測定値が前記受信電力の条件を満たすときに任意の値を生成し、確認することのできるセルの周波数に対する前記優先度の比率と前記サービングセルに設定しているセルの周波数に対する前記優先度の比率から各々の割合を求め、該割合と前記任意の値との比較結果に基づいて、前記複数のセルの中から次にサービングセルに設定するセルを選択することを特徴とする付記１に記載の無線通信システム。
【００９２】
（付記５）周波数の異なる複数のセルの周波数に対する優先度の比率を決定する決定部と、
前記優先度の比率を、自局が形成するセルをサービングセルに設定している端末へ送信する送信部と、
を備えることを特徴とする基地局。
【００９３】
（付記６）前記決定部は、前記周波数の異なる複数のセルの負荷に応じて、相対的に負荷の高いセルの周波数に対する前記優先度の比率を現在の値よりも下げるか、相対的に負荷の低いセルの周波数に対する前記優先度の比率を現在の値よりも上げるか、またはその両方を行うことを特徴とする付記５に記載の基地局。
【００９４】
（付記７）前記決定部は、端末が前記優先度の比率に基づいて次にサービングセルに設定するセルを選択するか否かを判断する際の基準となる受信電力の条件を設定し、
前記送信部は、前記受信電力の条件を、自局が形成するセルをサービングセルに設定している端末へ送信することを特徴とする付記５に記載の基地局。
【００９５】
（付記８）サービングセルに設定しているセルを形成する基地局から、周波数の異なる複数のセルの周波数に対する優先度の比率を受信する受信部と、
前記優先度の比率に基づいて前記複数のセルの中から次にサービングセルに設定するセルを選択する選択部と、
を備えることを特徴とする端末。
【００９６】
（付記９）前記受信部は、サービングセルに設定しているセルを形成する基地局から、次にサービングセルに設定するセルを選択するか否かを判断する際の基準となる受信電力の条件を受信し、サービングセルに設定しているセル以外の周辺のセルの受信電力を測定し、
前記選択部は、前記受信電力の測定値が前記受信電力の条件を満たすときに任意の値を生成し、確認することのできるセルの周波数に対する前記優先度の比率と前記サービングセルに設定しているセルの周波数に対する前記優先度の比率から各々の割合を求め、該割合と前記任意の値との比較結果に基づいて、前記複数のセルの中から次にサービングセルに設定するセルを選択する
ことを特徴とする付記８に記載の端末。
【００９７】
（付記１０）基地局が、周波数の異なる複数のセルの周波数に対する優先度の比率を決定する決定ステップと、
前記基地局が、前記優先度の比率を、自局が形成するセルをサービングセルに設定している端末へ送信する送信ステップと、
前記端末が、サービングセルに設定しているセルを形成する前記基地局から前記優先度の比率を受信する受信ステップと、
前記端末が、受信した前記優先度の比率に基づいて前記複数のセルの中から次にサービングセルに設定するセルを選択する選択ステップと、
を含むことを特徴とする無線通信方法。
【００９８】
（付記１１）前記決定ステップでは、前記基地局は、前記周波数の異なる複数のセルの負荷に応じて、相対的に負荷の高いセルの周波数に対する前記優先度の比率を現在の値よりも下げるか、相対的に負荷の低いセルの周波数に対する前記優先度の比率を現在の値よりも上げるか、またはその両方を行うことを特徴とする付記１０に記載の無線通信方法。
【００９９】
（付記１２）前記端末が、サービングセルに設定しているセル以外の周辺のセルの受信電力を測定するステップを有し、
前記受信ステップでは、前記端末は、前記優先度の比率とともに、次にサービングセルに設定するセルを選択するか否かを判断する際の基準となる受信電力の条件を受信し、
前記選択ステップでは、前記端末は、前記受信電力の測定値が前記受信電力の条件を満たすときに任意の値を生成し、確認することのできるセルの周波数に対する前記優先度の比率と前記サービングセルに設定しているセルの周波数に対する前記優先度の比率から各々の割合を求め、該割合と前記任意の値との比較結果に基づいて、前記複数のセルの中から次にサービングセルに設定するセルを選択する
ことを特徴とする付記１０に記載の無線通信方法。
【符号の説明】
【０１００】
１，９，１０  基地局
２，３  セル
４  端末
５，３２  決定部
６，３４  送信部
７，５２  受信部
８，５３  選択部
【図１】
0005423885.tif 000002
【図２】
0005423885.tif 000003
【図３】
0005423885.tif 000004
【図４】
0005423885.tif 000005
【図５】
0005423885.tif 000006
【図６】
0005423885.tif 000007
【図７】
0005423885.tif 000008
【図８】
0005423885.tif 000009
【図９】
0005423885.tif 000010
【図１０】
0005423885.tif 000011
【図１１】
0005423885.tif 000012
【図１２】
0005423885.tif 000013
【図１３】
0005423885.tif 000014
【図１４】
0005423885.tif 000015